(57)【要約】  梱包体は、１０Ｈｚよりも大きな第一の振動モードを含むように板のスタックの撓みの固有振動数をチューニングする。別の実施形態では、支持フレームによって板のスタックを取り扱う方法は、支持フレームによって板のスタックを支持することによって所定の周波数よりも大きな第一の振動モードを含むように板のスタックの撓みの固有振動数をチューニングするステップを含む。さらに別の実施形態では、支持フレームを製造する方法は、所定の周波数を超過する第一の振動モードを含むように支持フレームによって支持される板のスタックの撓みの固有振動数をチューニングするように支持フレームを設計するステップを含む。
2017536305.tif 000002
【特許請求の範囲】
【請求項１】
網状の開口を画定する格子状の支持要素を含む支持フレームと、
該支持フレームによって支持されかつ該網状の開口に跨る板のスタックと、
を含む梱包体であって、
１０Ｈｚよりも大きな第一の振動モードを含むように該板のスタックの撓みの固有振動数をチューニングする梱包体。
【請求項２】
前記第一の振動モードは３３Ｈｚよりも大きい、または５０Ｈｚよりも大きい、請求項１に記載の梱包体。
【請求項３】
前記支持フレームは、前記板のスタックの少なくとも一つの振動の節を画定する、請求項１から２のいずれか一項に記載の梱包体。
【請求項４】
前記支持フレームは、重力の方向に対して傾斜角で前記板のスタックを支持するように構成され、該傾斜角は約０°から約９０°までの範囲内である、請求項１から３のいずれか一項に記載の梱包体。
【請求項５】
前記支持フレームは、湾曲した支持構造を含み、前記板のスタックの板は実質的に湾曲される、請求項１から４のいずれか一項に記載の梱包体。
【請求項６】
前記梱包体は、前記支持フレームに対して前記板のスタックの位置を維持するように構成される固定装置をさらに含み、該固定装置は、１０Ｈｚよりも大きな前記第一の振動モードを含むように該板のスタックの撓みの前記固有振動数をさらにチューニングする、請求項１から５のいずれか一項に記載の梱包体。
【請求項７】
前記梱包体は、前記板のスタックの撓みの前記固有振動数から離れるように該梱包体にかかる振動の周波数をチューニングするように構成される減衰装置をさらに含む、請求項１から６のいずれか一項に記載の梱包体。
【請求項８】
網状の開口を画定する格子状の支持要素を含む支持フレームによって板のスタックを取り扱う方法であって、
該支持フレームによって該板のスタックを支持することによって所定の周波数より大きな第一の振動モードを含むように該板のスタックの撓みの固有振動数をチューニングするステップを含む、方法。
【請求項９】
前記所定の周波数は、１０Ｈｚよりも大きい、３３Ｈｚよりも大きい、または５０Ｈｚよりも大きい、請求項８に記載の方法。
【請求項１０】
前記チューニングするステップは、前記支持フレームに対して前記板のスタックを押圧することをさらに含む、請求項８から９のいずれか一項に記載の方法。
【請求項１１】
前記所定の周波数よりも大きな前記第一の振動モードを含むように前記板のスタックの撓みの前記固有振動数をチューニングするように前記支持フレームを設計するステップをさらに含む、請求項８から９のいずれか一項に記載の方法。
【請求項１２】
前記支持フレームは、前記板のスタックの少なくとも一つの振動の節を画定する、請求項８から９のいずれか一項に記載の方法。
【請求項１３】
前記チューニングするステップの後、前記梱包体に振動を伝える車両によって該梱包体を輸送するステップをさらに含む、請求項８から９のいずれか一項に記載の方法。
【発明の詳細な説明】
【関連出願の相互参照】
【０００１】
本出願は、２０１４年１１月１９日に出願された米国出願第６２／０８１９０６号明細書に対する優先権の利益を主張し、その内容は、全て参照によって本明細書に援用される。
【背景技術】
【０００２】
従来の梱包体は、一般的に、ガラス板のスタックを取り扱うために使用される。ガラス板のスタックは、一般的に、スタック内の隣接する板間に置かれた間紙材を含む。
【発明の概要】
【０００３】
以下は、詳細な説明において説明される幾つかの例示的な態様の基本的な理解を与えるために本開示の簡単な概要を提供する。
【０００４】
本開示は、一般に、梱包体、ガラス板のスタックを取り扱う方法、および支持フレームを製造する方法に関し、より具体的には、１０Ｈｚよりも大きな第一の振動モードを含むようにガラス板のスタックの撓みの固有振動数をチューニングする梱包体に関する。本開示は、さらに、所定の周波数よりも大きな第一の振動モードを含むようにガラス板のスタックの撓みの固有振動数をチューニングするステップを含む、ガラス板のスタックを取り扱う方法に関する。またさらに、本開示は、所定の周波数を超過する第一の振動モードを含むように支持フレームによって支持される板のスタックの撓みの固有振動数をチューニングするように支持フレームを設計するステップを含む、支持フレームを製造する方法にも関する。
【０００５】
第一の実施形態によれば、梱包体は、網状の開口を画定する格子状の支持要素を含む支持フレームを含む。この梱包体は、前記支持フレームによって支持されかつ前記網状の開口に跨る板のスタックをさらに含み、当該梱包体は、１０Ｈｚよりも大きな第一の振動モードを含むように前記板のスタックの撓みの固有振動数をチューニングする。一実施形態では、前記第一の振動モードは３３Ｈｚよりも大きい。別の実施形態では、前記第一の振動モードは５０Ｈｚよりも大きい。さらに別の実施形態では、前記支持フレームは、前記板のスタックの少なくとも一つの振動の節を画定する。さらに別の実施形態では、前記支持フレームは、重力の方向に対して傾斜角で前記板のスタックを支持するように構成される。一実施形態では、この傾斜角は、０°から９０°までの範囲内である。更なる実施形態では、前記支持フレームは、湾曲した支持構造を含み、前記板のスタックの板は実質的に湾曲される。さらに別の実施形態では、当該梱包体は、前記板のスタックの隣接する板間に配置される間紙材をさらに含む。別の実施形態では、当該梱包体は、前記支持フレームに対して前記板のスタックの位置を維持するように構成される固定装置をさらに含み、この固定装置は、１０Ｈｚよりも大きな前記第一の振動モードを含むように前記板のスタックの撓みの前記固有振動数をさらにチューニングする。さらに別の実施形態では、当該梱包体は、前記板のスタックの撓みの前記固有振動数から離れるように当該梱包体にかかる振動の周波数をチューニングするように構成される減衰装置をさらに含む。
【０００６】
第二の実施形態によれば、網状の開口を画定する格子状の支持要素を含む支持フレームによって板のスタックを取り扱う方法が提供される。この方法は、前記支持フレームによって前記板のスタックを支持することによって所定の周波数より大きな第一の振動モードを含むように前記板のスタックの撓みの固有振動数をチューニングするステップを含む。一実施形態では、前記所定の周波数は１０Ｈｚよりも大きい。別の実施形態では、前記所定の周波数は３３Ｈｚよりも大きい。さらに別の実施形態では、前記所定の周波数は５０Ｈｚよりも大きい。更なる実施形態では、前記チューニングするステップは、前記支持フレームに対して前記板のスタックを押圧することをさらに含む。さらに別の実施形態では、当該方法は、前記所定の周波数よりも大きな前記第一の振動モードを含むように前記板のスタックの撓みの前記固有振動数をチューニングするように前記支持フレームを設計するステップをさらに含む。さらに別の実施形態では、前記支持フレームは、前記板のスタックの少なくとも一つの振動の節を画定する。別の実施形態では、当該方法は、前記チューニングするステップの後、前記梱包体に振動を伝える車両によって前記梱包体を輸送するステップをさらに含む。
【０００７】
第三の実施形態によれば、支持フレームを製造する方法であって、（Ｉ）網状の開口を画定する格子状の支持要素を提供するステップを含み、この格子状の支持要素は、板のスタックの板が前記網状の開口に跨りながら前記板のスタックを支持するように構成される。この方法は、（ＩＩ）所定の周波数よりも大きな第一の振動モードを含むように前記支持フレームによって支持される板のスタックの撓みの固有振動数をチューニングするように前記支持フレームを設計するステップをさらに含む。一実施形態では、前記所定の周波数は１０Ｈｚである。別の実施形態では、前記所定の周波数は３３Ｈｚである。さらに別の実施形態では、前記所定の周波数は５０Ｈｚである。別の実施形態では、前記支持フレームを設計するステップ（ＩＩ）は、前記板のスタックの撓みの前記固有振動数をチューニングするように前記支持フレームの剛性を調整することを含む。
【０００８】
当然のことながら、第一の実施形態、第二の実施形態および第三の実施形態は、単独で、または上記で述べた実施形態のうちの一つまたは任意の組み合わせと組み合わせて提供されることができる。
【０００９】
本開示のこれらおよびその他の特徴、態様および利点は、添付の図面を参照して読まれるとさらに理解されることができる。
【図面の簡単な説明】
【００１０】
【図１】本開示の態様に従う梱包体の概略的な側面図である。
【図２】図１の線２−２から見た梱包体の正面図である。
【図３】図２の線３−３から見た梱包体の断面図である。
【図４】梱包体の別の実施形態の断面図である。
【図５】図２の線５−５から見た梱包体の断面図である。
【図６】梱包体の別の実施形態の正面図である。
【図７】図１の梱包体の支持フレームの正面図である。
【図８】ガラス板上の第一の粒子分布パターンを示す。
【図９】別のガラス板上の第二の粒子分布パターンを示す。
【発明を実施するための形態】
【００１１】
これから、本開示の実施形態が示されている添付の図面を参照して、装置および方法が以下により詳細に説明される。可能な場合は常に、同一の参照番号が、全図面を通して、同一または類似の部分を指すために使用される。しかしながら、本開示は、多くの異なる形態で実施されてよく、本明細書で述べられる実施形態に限定されるものと解釈されるべきではない。
【００１２】
ガラス板は、一般的に、ガラスリボンが、様々なリボン成形法、例えば、スロットドロー、ダウンドロー、フュージョンダウンドロー、またはアップドローによって成形され得る成形体に溶融ガラスを流すことによって製造される。当然のことながら、ガラスリボンは、フロート法等のその他の成形法を用いて形成されてもよい。これらの方法のうちのいずれかからのガラスリボンは、次に、所望のディスプレイ用途への更なる加工に適したガラス板を提供するために分割されてよい。ガラス板は、広範囲のディスプレイ用途、例えば、液晶ディスプレイ（ＬＣＤ）、電気泳動ディスプレイ（ＥＰＤ）、有機発光ダイオードディスプレイ（ＯＬＥＤ）、プラズマディスプレイパネル（ＰＤＰ）等において使用されることができる。ガラス板は、ある場所から別の場所へ輸送される必要があることが多い。通例、ガラス板は、ガラス板のスタックを所定の位置に固定するように設計された従来の支持フレームによって輸送される。さらに、一般的に、各ガラス板の間には、接触を防止することを補助し、それによってガラス板の新品の表面を保護するために、間紙材を介在させている。
【００１３】
また、表面への損傷を防止するだけでなく、間紙材を介在させなかった場合にはディスプレイ基板としてのガラス板の加工または性能に干渉する可能性のある、小さな粒子等の夾雑物から新品の表面への汚染を最低限にする、または防止するという利点がある場合がある。小さな汚染粒子の存在、サイズ、および箇所は、通例、走査粒子検査装置を使用して評価される。多くの仕様は、最大で１．０μｍの粒子の検査しか必要としないが、最大で０．３μｍのサイズの粒子を検査する能力がある場合が多い。これに関して、出願人は、パネル製造施設にてパーティクルカウンタによってガラス板の表面を検査した際に、間紙材が、０．３から１．０μｍの範囲（この施設では１．０μｍよりも大きな粒子を対象とした通常の検査範囲外である）の非常に小さな粒子によってガラス板の表面を汚染していたことを意図せず発見した。実際、図８および図９は、輸送されたガラス板を開梱して洗浄した後の二つの異なる支持フレームによって支持された二つの異なるガラス板上の粒子分布を示す。図８の隠れ線８０１は、第一の従来の支持フレームにおける支持要素のおおよその位置を示す。同様に、図９の隠れ線９０１は、第二の従来の支持フレームの支持要素のおおよその位置を示す。図８および図９に示すように、粒子が観察され、その粒子の７０から８０％は、約０．３マイクロメートルから約５マイクロメートルの最大寸法を含んでいた。粒子が存在していたことが驚きであり予期せぬことだっただけではなく、粒子が各支持フレームの支持要素８０１、９０１間の開口内で粒子が輪状にパターン化されているように見えたことがさらに驚きであり予期せぬことであった（図８の８０３、図９の９０３を参照）。
【００１４】
観察されたこの驚くべき目に見える証拠に基づき、ガラス板の小さくても重要な撓みがガラス表面の品質に実質的に影響を及ぼす可能性があることが分かった。実際、通例の輸送時に梱包体に押し合いを強いる所定の周波数よりも低い周波数でのガラス板の動きによって、ガラスが間紙と擦れ合うことが分かった。間紙とのガラス板の擦れ合いにより、紙粒子の放出および付着を生じ、ガラス製品の表面品質に影響を及ぼす可能性がある。さらに、ガラス板と粒子が擦れ合うことにより、結果的にガラス板に対する紙粒子の付着が増加する可能性がある。付着が増加すると、その後の粒子の除去（例えば、洗浄による）の効果が弱まる可能性がある。その結果、間紙とのガラス板の擦れ合いは、顧客が汚染の無い新品のガラス表面を見込んでいるため、製品の実際の歩留まりに悪影響を及ぼす可能性がある。
【００１５】
典型的な輸送方法に一般的に関連する低振動モードを避けるように板のスタックの固有振動数をチューニングすることにより、粒子の堆積が低減され、それにより、輸送後のガラス板の品質を向上することができることが分かった。
【００１６】
本開示の一実施形態では、ガラス板の主要な表面上に間紙材からの粒子（例えば、繊維）の堆積を低減する梱包体が提供されることができる。例えば、図１を参照すると、梱包体１０１は、板のスタック１０５として配列された複数のガラス板１０９を含む。板のスタックは、様々なサイズ、例えば、一度に数百枚の板である場合がある。図示のように、一部の実施形態では、紙等の間紙層１０７は、板のスタック１０５の隣接する板１０９間に配置されてよい。
【００１７】
この梱包体は、ガラス板のスタックを効果的に支持することができる金属（例えば、アルミニウム）、木材またはその他の材料から形成されることができる支持フレーム１０３をさらに含む。図７に示すように、支持フレーム１０３は、網状の開口７０５を画定する格子状の支持要素７００を含む。実際、一実施形態では、格子状の支持要素７００は、複数の水平方向の支持要素７０１ａ、７０１ｂ、７０１ｃ、７０１ｄおよび複数の垂直方向の支持要素７０３ａ、７０３ｂ、７０３ｃを含むことができる。水平方向の支持要素は、水平方向の支持要素の行で示され、図示のように、互いに実質的に平行な複数の水平方向の行が設けられることができる。さらに図示するように、複数の垂直方向の支持要素は、垂直方向の支持要素の列で示され、図示のように、互いに実質的に平行な複数の垂直方向の列が設けられてよい。
【００１８】
一実施形態では、図１に示すように、支持フレーム１０３は、重力の方向「Ｇ」に対して傾斜角「Ａ」で板のスタック１０５を支持するように構成されることができる。一部の実施形態では、傾斜角「Ａ」は、約０°から約９０°まで、例えば０°より大きい角度から９０°未満まで、例えば約５°から約４５°まで、例えば約１０°から約２５°までの範囲内の任意の角度であり得るが、更なる実施形態では、その他の角度が設けられてよい。
【００１９】
図１および図７にさらに示すように、支持フレーム１０３は、下枠７０７をさらに含むことができる。図１に示すように、下枠７０７は、スタックの下端１１３にて板のスタック１０５の重量を支えることができる。より具体的には、０°より大きな傾斜角「Ａ」により、図７を参照すると、支持要素７００の外面７０９および下枠７０７の外面７１１は、共に板のスタック１０５の重量を支持するように機能することができる。
【００２０】
図３および図５に示すように、支持要素７００は、ガラス板のスタック１０５のための支持面を提供する外面７０９を有するチャネル支持要素を含んでよい。チャネルとして支持要素を設けることにより、ガラス板のスタックのための相対的に剛性の支持表面をさらに提供しながら、重量および材料コストを減少することができる。図３は、間紙層、保護面、またはその他の機能部が、隣接するガラス板を支持フレーム１０３による損傷から保護するために設けられてよいということが理解されている上で、ガラス板のスタック１０５が外面７０９によって直接支持されている様子を示す。
【００２１】
一実施形態では、図１に示すように、板のスタック１０５と支持要素７００の外面７０９および下枠７０７の外面７１１との間に、緩衝層１１９が設けられてよい。緩衝層１１９は、緩衝層１１９がない場合には板のスタック１０５と支持フレーム１０３との間の相対的な動きとともに生じる可能性がある、引っ掻きを防止することを補助することができる。更なる実施形態では、緩衝層は、板のスタック１０５の撓みの固有振動数から離れるように梱包体に課される振動の周波数をチューニングするように構成された減衰装置として機能してよい。例えば、この減衰装置は、支持フレーム１０３に伝わる振動からガラス板のスタック１０５を絶縁することを補助してよい。かかる緩衝層１１９は、輸送によって課される周波数／振幅を減少または変化させ、撓み周波数を所望の範囲に効果的に上昇させるために使用されることができる。緩衝層１１９は、弾性発泡材、弾性マット、またはその他の緩衝層の構成を含むことができる。
【００２２】
緩衝層１１９に加えて、またはその代わりに、有利な梱包体のラッピング、緩衝装置、パッドまたはその他の減衰装置などの他の減衰装置が、印加された周波数が結合して撓みになることを軽減するために使用されてよい。
【００２３】
図３にさらに示すように、支持要素７００の外面７０９は、断面が図３に示すように実質的に直線形状を有する実質的に平らな平面状の支持面を提供することができる。別の実施形態では、図４に示すように、支持フレーム４０１は、湾曲した支持構造を代わりに含むことができる。実際、図示のように、支持フレーム４０１は、断面が図４に示す実質的に湾曲した形状を有する実質的に湾曲した支持面４０３を画定する支持要素４０２を含むことができる。ガラス板のスタック１０５は支持構造の形状に一致するため、ガラス板のスタック１０５は、支持面４０３の湾曲形状に一致する湾曲した板のスタックを含む。湾曲した構成を備えるガラス板を提供することにより、ガラス板のスタックの剛性を増加することができ、曲げに対してガラス板を強化することを補助することもでき、それにより、梱包体１０１を輸送する際の板のスタック１０５の撓みの固有振動数を上昇させる。かかる応用において、支持面４０３の湾曲形状に一致する湾曲形状を含むことにより、緩衝層１１９と類似の減衰装置が設けられることができる。湾曲された緩衝層は、撓み周波数を所望の範囲に上昇するために、板のスタックの効果的な剛性を増加してもよい。
【００２４】
図１にさらに示すように、支持フレーム１０３は、支持要素７００を適切な向きに支持することを補助することができるスタンド１１５を含むこともできる。一部の実施形態では、フレーム部材１１７によって、支持要素７００および／または下枠７０７をスタンド１１５に取り付けることができる。
【００２５】
図１および図２にさらに示すように、梱包体１０１は、支持フレーム１０３に対する板のスタック１０５の位置を維持するように構成された固定装置１１１を含むこともできる。一実施形態では、図示のように、この固定装置は、複数の押さえ棒１２１を含むことができる。図５に示すように、押さえ棒１２１は、それぞれ、押さえ棒１２１の下面５０３と支持要素７００の外面７０９との間でガラス板のスタック１０５の部分５０１を固定するためにストラップ１２３によってガラス板のスタック１０５に対して引っ張られてよい。図示しないが、ガラス板の引っ掻き、ひび割れ、またはその他の損傷を避けるために、押さえ棒１２１とガラス板のスタック１０５との間には、保護間紙またはその他の材料が設けられてよい。
【００２６】
図５を参照すると、上記で述べたように、固定された部分５０１は、押さえ棒１２１と支持要素７００との間の固定作用によって動けなくなる。支持フレームは、板のスタック１０５の一部が網状の開口に跨るように網状の開口７０５を提供してもよい。したがって、支持フレーム１０３は、板のスタック１０５の少なくとも一つの振動の節を画定することができ、開口７０５に跨る部分５０５の垂直方向の動きは、方向５０７ａ、５０７ｂに曲がることができる。
【００２７】
板のスタック１０５は、梱包体が輸送時に曝されると予想される振動に応じて、所定の周波数よりも高い、例えば、１０Ｈｚよりも高い、３３Ｈｚよりも高い、または５０Ｈｚよりも高い第一の振動モードを含むことができる。
【００２８】
本開示の更なる実施形態では、ガラス板のスタック１０５の撓みの固有振動数をチューニングすることができる支持フレーム１０３を製造する方法が提供される。例えば、この方法は、網状の開口７０５を画定する格子状の支持要素７００を提供するステップを含むことができる。図面に示すように、格子状の支持要素７００は、板が網状の開口７０５に跨りながら板のスタック１０５を支持するように構成される。この方法は、所定の周波数を超過する第一の振動モードを含むように支持フレーム１０３によって支持される板のスタック１０５の撓みの固有振動数をチューニングするように支持フレーム１０３を設計するステップをさらに含むことができる。このような場合、支持フレーム１０３は、既知の剛性、およびその他の振動特性を有するガラス板の特定のスタックを収容するように製造されることができる。同様に、避けるべき周波数、または振動周波数の範囲は、所定の旅程で直面する可能性が高い予想される振動周波数の振動周波数分布から決定されることができる。ガラス板のスタックの既知の特性と、所定の旅程で直面する既知の予想される振動周波数とにより、支持フレーム１０３は、旅程時に予想される所定の周波数を超過する第一の振動モードを含むように支持フレームによって支持される板のスタックの撓みの固有振動数をチューニングするようにカスタム設計されることができる。
【００２９】
一実施形態では、支持フレーム１０３は、１０Ｈｚを超過する、例えば３３Ｈｚを超過する、例えば５０Ｈｚを超過する、第一の振動モードを含むように支持フレーム１０３によって支持された板のスタック１０５の撓みの固有振動数をチューニングするようにカスタム設計されてよい。
【００３０】
支持フレーム１０３の様々な態様が、板のスタックの固有振動数をチューニングするようにカスタム設計されてよい。例えば、支持フレームは、支持フレームの剛性を調整することによって板のスタックの固有振動数をチューニングするように設計されてよい。一実施形態では、図１に示すように、支持フレーム１０３の剛性は、任意の更なるフレーム部材１１８（破線で示す）を追加することによって増加されてよい。任意の更なるフレーム部材１１８を追加することによって支持フレーム１０３の剛性を増加することにより、予想される輸送経路の典型である高エネルギーの周波数の振動を避けるように共振周波数分布を上げることができる。別の実施形態では、図７に示すように、支持要素間のスパン距離を減少する任意の更なる支持要素７０６（破線で示す）が設けられることができる。例えば、垂直方向の支持要素は、水平方向のスパン距離をＨ１からＨ２へ減少するように取り付けられることができる。同様に、水平方向の支持要素は、垂直方向のスパン距離をＶ１からＶ２へ減少するように取り付けられることができる。その結果、所定の輸送経路に沿って予想される振動を梱包体が感じにくくするように支持フレーム１０３の剛性だけでなく振動の節も増加させることができる。
【００３１】
別の実施形態では、固定装置は、１０Ｈｚよりも大きな、例えば３３Ｈｚよりも大きな、例えば５０Ｈｚよりも大きな、第一の振動モードを含むように板のスタック１０５の撓みの固有振動数をチューニングすることを容易にすることができる。例えば、図６に示すように、押さえ棒の数および／または押さえ棒の構成は、板のスタックの固有振動数をチューニングするために変更されてよい。例えば、図示のように、垂直方向の押さえ棒６０１が、板のスタックの固有振動数をチューニングするために水平方向の押さえ棒１２１同士を結合してよい。図示しないが、節の設計を介して周波数分布をさらに修正するために縁拘束システムまたはラッピングが設けられることもできる。さらに、水平方向の押さえ棒１２１は、支持フレーム１０３によって課される撓みモードに対抗するように有利に配置されてよい。例えば、図７における一点鎖線７１５ａ、７１５ｂ、７１５ｃによって示すように、水平方向の押さえ棒１２１のうちの一つ以上が、支持フレーム１０３によって課される撓みモードに対抗することを補助するように開口７０５に跨るように一点鎖線７１５ａ、７１５ｂ、７１５ｃに沿って配置されてよい。
【００３２】
本開示のさらに別の実施形態では、網状の開口７０５を画定する格子状の支持要素７００を含む支持フレーム１０３によって板のスタック１０５を取り扱うための方法が提供される。この方法は、支持フレーム１０３によって板のスタック１０５を支持することによって、所定の周波数よりも大きい（例えば、１０Ｈｚよりも大きい、３３Ｈｚよりも大きい、または５０Ｈｚよりも大きい）第一の振動モードを含むように板のスタック１０５の撓みの固有振動数をチューニングするステップを含む。
【００３３】
一実施形態では、このチューニングするステップは、支持フレーム１０３に対して板のスタック１０５を押圧することを含むことができる。例えば、押さえ棒１２１は、支持フレームに対してスタックを押圧するようにスタックに対して押圧されてよい。異なる押さえ棒の構成は、支持ラックのその他の特性を必ずしも変更しなくても板のスタック１０５の撓みの固有振動数を調整することを補助するように設計されることができる。例えば、スタックをさらにチューニングしたい場合、板のスタック１０５の撓みの固有振動数をチューニングするために異なる押さえ棒の構成が選択されてよい（例えば、図６を参照）。
【００３４】
この方法は、所定の周波数よりも大きな第一の振動モードを含むように板のスタックの撓みの固有振動数をチューニングするように支持フレームを設計するステップを含むこともできる。例えば、先に述べたように、任意の更なるフレーム部材１１８（破線で示す）が追加されてよく、または既存のフレーム部材１１７が取り除かれてよい。別の実施形態では、図７に示すように、支持フレーム１０３の剛性は、任意の更なる支持要素７０６（破線で示す）を追加することによって増大させてよい。同様に、支持フレーム１０３の剛性は、既存の支持要素７００の数または配列を減少することによって低減されてよい。
【００３５】
さらに別の実施形態では、この方法のうちのいずれかは、輸送時の望ましくない振動を打ち消すために能動的振動を提供することを含むことができる。例えば、振動は、輸送時に依然として励起される可能性がある、存在するモードのうちのいずれかにおける撓みを最小限にするように駆動振動によって位相をずらして導入されることができる。
【００３６】
チューニングするステップの後、この方法は、梱包体に振動を伝える車両によって梱包体を輸送するステップを含むこともできる。一部の実施形態では、この車両は、１０Ｈｚを超過する第一の振動モードを含むように支持フレーム１０３によって支持された板のスタック１０５の撓みの固有振動数によって、１０Ｈｚ未満の周波数で梱包体に大きなエネルギーを伝えることができる。別の実施形態では、この車両は、３３Ｈｚを超過する第一の振動モードを含むように支持フレーム１０３によって支持された板のスタック１０５の撓みの固有振動数によって、３３Ｈｚ未満の周波数にて梱包体に大きなエネルギーを伝えることができる。さらに別の実施形態では、この車両は、５０Ｈｚを超過する第一の振動モードを含むように支持フレーム１０３によって支持された板のスタック１０５の撓みの固有振動数によって、５０Ｈｚ未満の周波数にて梱包体に大きなエネルギーを伝えることができる。
【００３７】
１０Ｈｚを超過する第一の振動モードを含むように板のスタックをチューニングすることにより、トラックが路面の隆起や穴を通過することによる、低周波数範囲（０Ｈｚから１０Ｈｚ）において通例経験される最もエネルギーが大きな印加擾乱と板のスタックを共振させることが避けられる。さらに、３３Ｈｚを超過する、例えば５０Ｈｚを超過する第一の振動モードを含むように板のスタックをチューニングすることにより、輸送時に直面する可能性のあるより高い周波数も避けられる。したがって、輸送時に課される振動の駆動力は、支持フレームによって定められる撓みモードから分離されることができ、それにより、駆動力が分離されていない場合に輸送に対して適切にチューニングされていない板のスタックによって経験される可能性がある大きな振動が避けられる。
【００３８】
このようにして板のスタック１０５をチューニングして輸送することにより、ガラス板の大きな共振振動は、輸送時に避けられることができ、それにより、方向５０７ａ、５０７ｂに開口７０５に跨る部分５０５の大きな動きを最小にする。間紙層１０７とガラス板１０９との間の相対的な動きが減少されるため、間紙層１０７から落ちる粒子は同様に減少されることができ、その結果、ガラス板１０９の新品の主要な表面の汚染を減少する。さらに、間紙層とガラス板の主要な表面との相対的な動きが減少されるため、ガラスの主要な表面上の粒子の付着強度が低減されることができる。したがって、ガラス板の既存の洗浄手順が、依然としてガラス板上に落とされる粒子を取り除く際により効果的になる可能性がある。その結果、適切な機能のために新品のガラス表面を見込んでいるガラスの顧客にとって、ガラス製品の歩留まりが上がる可能性がある。
【００３９】
さらに、所定の周波数に関する板のスタック１０５の適切なチューニングにより、梱包体は、所定の周波数を超過する周波数にチューニングされない既存の梱包体よりも長い距離にわたって顧客に安全に発送されることができる。さらに、共振周波数が避けられるため、振動の衝撃が軽減されるまたは消されることができるため、大きな振動を伴う可能性のあるよりコストのかからない輸送方法が利用可能になる可能性がある。
【００４０】
また、本明細書で使用されているように、名詞用語は「少なくとも一つの」の対象を指し、明示的に逆のことを指示しない限りは、「唯一の」の対象に限定されるべきではないと理解されるべきである。同様に、「複数」は、「二つ以上」を意味することが意図されている。
【００４１】
本明細書では、「約（ａｂｏｕｔ）」ある値からおよび／または「約（ａｂｏｕｔ）」別の値までの範囲が表現されている場合がある。かかる範囲が表現されているときは、実施形態は、その特定の値からおよび／またはもう一つの特定の値までを含む。同様に、値が「約（ａｂｏｕｔ）」という先行詞の使用により近似値として表されているときは、その特定の値は別の値を成すと理解されるだろう。さらに、それらの各範囲の端点は、他方の端点と関連する場合と他方の端点とは無関係である場合の両方において有意であると理解されるだろう。
【００４２】
本明細書で使用されている「実質的な（ｓｕｂｓｔａｎｔｉａｌ）」、「実質的に（ｓｕｂｓｔａｎｔｉａｌｌｙ）」という用語、およびその変形は、説明された特徴が、ある値または説明に等しいまたはほぼ等しいことを指すことが意図されている。
【００４３】
明確に述べられない限り、本明細書で述べられたいかなる方法も、そのステップが特定の順序で行われることを必要とすると解釈されることは意図されていない。したがって、方法の請求項がそのステップが従うべき順序を実際に記載していない場合、または請求項または明細書においてそれらのステップが特定の順序に限定されると特に述べられていない場合は、特定の順序が示唆されているということを意図していない。
【００４４】
特定の実施形態の様々な特徴、要素またはステップが、「を含む（ｃｏｍｐｒｉｓｉｎｇ）」という移行句を使用して開示されているが、「から構成される（ｃｏｎｓｉｓｔｉｎｇ）」または「から実質的に構成される（ｃｏｎｓｉｓｔｉｎｇ  ｅｓｓｅｎｔｉａｌｌｙ  ｏｆ）」という移行句を使用して説明される場合がある実施形態を含む別の実施形態が黙示されていると理解されるべきである。したがって、実施形態に関して、Ａ＋Ｂ＋Ｃを含む装置に対する黙示的な別の実施形態は、装置がＡ＋Ｂ＋Ｃから構成される実施形態および装置がＡ＋Ｂ＋Ｃから実質的に構成される実施形態を含む。
【００４５】
本開示に対しては、本発明の精神および範囲から逸脱することなく、様々な修正および変更がなされることができることは当業者には明らかであろう。したがって、本発明は、本開示の修正および変更が添付の請求項およびそれらの均等物の範囲内であれば、それらの修正および変更を包含することが意図されている。
【００４６】
以下、本発明の好ましい実施形態を項分け記載する。
【００４７】
実施形態１
網状の開口を画定する格子状の支持要素を含む支持フレームと、
該支持フレームによって支持されかつ該網状の開口に跨る板のスタックと、
を含む梱包体であって、
１０Ｈｚよりも大きな第一の振動モードを含むように該板のスタックの撓みの固有振動数をチューニングする梱包体。
【００４８】
実施形態２
前記第一の振動モードは３３Ｈｚよりも大きい、実施形態１に記載の梱包体。
【００４９】
実施形態３
前記第一の振動モードは５０Ｈｚよりも大きい、実施形態２に記載の梱包体。
【００５０】
実施形態４
前記支持フレームは、前記板のスタックの少なくとも一つの振動の節を画定する、実施形態１に記載の梱包体。
【００５１】
実施形態５
前記支持フレームは、重力の方向に対して傾斜角で前記板のスタックを支持するように構成される、実施形態１に記載の梱包体。
【００５２】
実施形態６
前記傾斜角は、約０°から約９０°までの範囲内である、実施形態５に記載の梱包体。
【００５３】
実施形態７
前記支持フレームは、湾曲した支持構造を含み、前記板のスタックの板は実質的に湾曲される、実施形態１に記載の梱包体。
【００５４】
実施形態８
前記板のスタックの隣接する板間に配置される間紙材をさらに含む、実施形態１に記載の梱包体。
【００５５】
実施形態９
前記梱包体は、前記支持フレームに対して前記板のスタックの位置を維持するように構成される固定装置をさらに含み、該固定装置は、１０Ｈｚよりも大きな前記第一の振動モードを含むように該板のスタックの撓みの前記固有振動数をさらにチューニングする、実施形態１に記載の梱包体。
【００５６】
実施形態１０
前記梱包体は、前記板のスタックの撓みの前記固有振動数から離れるように該梱包体にかかる振動の周波数をチューニングするように構成される減衰装置をさらに含む、実施形態に１記載の梱包体。
【００５７】
実施形態１１
網状の開口を画定する格子状の支持要素を含む支持フレームによって板のスタックを取り扱う方法であって、
該支持フレームによって該板のスタックを支持することによって所定の周波数より大きな第一の振動モードを含むように該板のスタックの撓みの固有振動数をチューニングするステップを含む、方法。
【００５８】
実施形態１２
前記所定の周波数は１０Ｈｚよりも大きい、実施形態１１に記載の方法。
【００５９】
実施形態１３
前記所定の周波数は３３Ｈｚよりも大きい、実施形態１２に記載の方法。
【００６０】
実施形態１４
前記所定の周波数は５０Ｈｚよりも大きい、実施形態１３に記載の方法。
【００６１】
実施形態１５
前記チューニングするステップは、前記支持フレームに対して前記板のスタックを押圧することをさらに含む、実施形態１１に記載の方法。
【００６２】
実施形態１６
前記所定の周波数よりも大きな前記第一の振動モードを含むように前記板のスタックの撓みの前記固有振動数をチューニングするように前記支持フレームを設計するステップをさらに含む、実施形態１１に記載の方法。
【００６３】
実施形態１７
前記支持フレームは、前記板のスタックの少なくとも一つの振動の節を画定する、実施形態１１に記載の方法。
【００６４】
実施形態１８
前記チューニングするステップの後、前記梱包体に振動を伝える車両によって該梱包体を輸送するステップをさらに含む、実施形態１１に記載の方法。
【００６５】
実施形態１９
支持フレームを製造する方法であって、
（Ｉ）網状の開口を画定する格子状の支持要素を提供するステップであって、該格子状の支持要素は、板のスタックの板が該網状の開口に跨りながら該板のスタックを支持するように構成されるステップと、
（ＩＩ）所定の周波数よりも大きな第一の振動モードを含むように前記支持フレームによって支持される板のスタックの撓みの固有振動数をチューニングするように該支持フレームを設計するステップと、
を含む、方法。
【００６６】
実施形態２０
前記所定の周波数は１０Ｈｚである実施形態１９に記載の方法。
【００６７】
実施形態２１
前記所定の周波数は３３Ｈｚである実施形態２０に記載の方法。
【００６８】
実施形態２２
前記所定の周波数は５０Ｈｚである実施形態２１に記載の方法。
【００６９】
実施形態２３
前記支持フレームを設計する前記ステップ（ＩＩ）は、前記板のスタックの撓みの前記固有振動数をチューニングするように該支持フレームの剛性を調整することを含む、実施形態１９に記載の方法。
【符号の説明】
【００７０】
１０１  梱包体
１０３、４０１  支持フレーム
１０５  板のスタック
１０７  間紙層
１０９  ガラス板
１１１  固定装置
１１３  下端
１１５  スタンド
１１７、１１８  フレーム部材
１１９  緩衝層
１２１、６０１  押さえ棒
１２３  ストラップ
４０２、７００、７０１ａ、７０１ｂ、７０１ｃ、７０１ｄ、７０６、７０３ａ、７０３ｂ、７０３ｃ  支持要素
４０３  支持面
５０１、５０５  部分
５０３  下面
５０７ａ、５０７ｂ  方向
７０５  開口
７０７  下枠
７０９、７１１  外面
７１５ａ、７１５ｂ、７１５ｃ  一点鎖線
Ａ  傾斜角
Ｇ  重力の方向
Ｈ１、Ｈ２、Ｖ１、Ｖ２  スパン距離
【図１】
2017536305.tif 000003
【図２】
2017536305.tif 000004
【図３】
2017536305.tif 000005
【図４】
2017536305.tif 000006
【図５】
2017536305.tif 000007
【図６】
2017536305.tif 000008
【図７】
2017536305.tif 000009
【図８】
2017536305.tif 000010
【図９】
2017536305.tif 000011
【国際調査報告】
2017536305.tif 000012
2017536305.tif 000013